(57)【要約】【課題】画面の前面に照射される外光や降雨による水滴を捕捉し、表示性能を向上させることが可能な画像表示装置を提供する。【解決手段】発光素子基板１１の前面に配置された略平板形状のルーバー２は、前方に突出して外光６を遮る庇部２ａが設けられるとともに、発光素子１２の先端部を突出させる発光素子孔１２ａと、外光６を捕捉する捕捉孔３とが開口されて設けられている。捕捉孔３は、ルーバー２の前面から裏面にかけて下向きに傾斜する貫通孔であり、ルーバー２の前面に付着する雨水を、捕捉孔３を介してルーバー２の裏面側に流し、外光６もルーバー２と基板との隙間５に取り込むよう構成する。【選択図】図２
2014002228.tif 000002
【特許請求の範囲】
【請求項１】
複数の発光素子が格子状に配列された発光素子基板、上記発光素子基板の前面に配置された略平板形状のルーバーを備え、上記ルーバーは、前方に突出して外光を遮る庇部が設けられるとともに、上記発光素子の先端部を突出させる発光素子孔と外光を捕捉する捕捉孔とが開口され、上記捕捉孔は、上記ルーバーの前面から裏面にかけて所定方向に傾斜する貫通孔であることを特徴とする画像表示装置。
【請求項２】
上記ルーバーの平坦面が地面に対して略垂直に設置される場合に、上記捕捉孔は、上記ルーバーの平坦面に水平方向にスリット状に伸びるとともに、上記ルーバーの表面から裏面にかけて下向きに傾斜するように開口されたことを特徴とする請求項１記載の画像表示装置。
【請求項３】
上記捕捉孔は、上記ルーバーの裏面側における上記捕捉孔上端の高さが、上記ルーバーの前面側における上記捕捉孔下端の高さとなるように開口されたことを特徴とする請求項２記載の画像表示装置。
【請求項４】
上記ルーバーの前面側には凹凸部が形成され、上記凹凸部に入射した外光は、上記庇部の天面あるいは裏面に反射することを特徴とする請求項１〜３のいずれか一項記載の画像表示装置。
【請求項５】
上記凹凸部は、傾きの異なる平面が組み合わされてなる突起状に形成されたことを特徴とする請求項４記載の画像表示装置。
【請求項６】
上記凹凸部は、上記ルーバーの前面側の平坦面全面に形成されたことを特徴とする請求項４または請求項５記載の画像表示装置。
【発明の詳細な説明】
【技術分野】
【０００１】
本発明は、主に多数の発光素子を発光させて表示を行う屋外型の画像表示装置に関するものである。
【背景技術】
【０００２】
一般に、大型画像表示装置は、発光素子により構成される表示ユニットを平面上に多数配列することにより構成されている。発光素子として発光ダイオード（ＬＥＤ）が使用されるようになり、３原色の発光素子の配置や配列ピッチを任意に設計できることから、用途に応じて様々な解像度や輝度を持つ大型映像表示装置が構成できるようになった。しかし、大型映像表示装置は屋外に設置されることが多く、画像表示装置の表面で太陽光が反射することにより映像表示装置以外の光が映像表示装置を見ている人に届きコントラストの低下、映像を見難くする。その対策が必要である。
【０００３】
そこで、従来の表示装置では、発光素子の先端部を露出させるために設けられた貫通孔を備え、この貫通孔に収容された発光素子に太陽光線が当たらないようにするために、発光素子の上側横方向に発光素子の先端の高さよりも高い庇を設けたルーバーを、多数の発光素子をマトリクス状に配列したプリント基板の前面に防滴、防塵のためにシリコーン等の充填材を発光素子の周囲に充填してビス等を用いて取り付けている。
コントラストをさらに向上させるための方法としては、庇先端を更に長くすることにより太陽光の遮断量をより多くさせる方法や、庇先端以外のルーバー表面を下向きにすることで、太陽光を下側に反射させ正面からのコントラストを向上させる方法がある。ただし、庇先端を長くする方法は、表示装置の垂直方向の視認角度を狭くするという弊害があり、また、低い高度から太陽光が照射される場合には、庇先端により太陽光を遮断することが難しく、コントラストの低下を防ぐことが困難である。
【０００４】
また、発光素子の表面に降雨などの水滴が付着するとその素子の発光の全部或いは一部が水滴に遮られ、局所的に極端に発光が弱まり画像の均一性が悪くなり画質が低下する。そこで庇には、排水性を向上させるために水平方向と、下方からの視認性を向上させるために前方方向に傾斜が付けられている。ところが一般的には庇の形状だけでは効果が薄く庇の上部と先端、発光素子の上下、先端部に水滴が溜まりやすい。そこでルーバー表面に親水性塗装をすることで表面の親水性を上げて水滴が膨らみを防止し水滴をルーバー表面に平滑に付着させ下方向に円滑に押し流すような方式を取っている。ところが塗装コストが高く、親水機能の寿命は短く、また塗装ムラなどにより色の均一性を悪化させる。また、親水剤は白いためコントラストを悪化させるものであった。
【０００５】
また、ルーバーの庇に遮光されず、ルーバー表面に太陽光が直接到達した場合は反射光が少なからず発生する。そこで、従来の表示装置では、発光素子を配列する基板に発光素子が存在しないスペース領域を設け、このスペース領域に表示面より見て凹部が形成された開口部材を取り付けることによって、外光による反射光量を低減させている。しかしながら、この凹部の深さはルーバーの厚み以下に設定する必要がある。ルーバーの厚みは発光素子の先端を突出させるように制限されるため、充分な性能を発揮できないという問題がある（特許文献１）。
さらに、別の表示装置では、ルーバー及び発光素子への水滴付着防止のために発光素子の下部に孔を設けてルーバー裏面に水滴を流すルーバー構造となっている。この方式の場合、庇の上部に直接降雨した水滴に対しては効果を成さず、庇を伝って素子頂部に水滴が付着する。また、発光素子間が離れている時には孔間の水滴溜りを防止できないものであった（特許文献２）。
また、別の画像表示装置では、画像表示装置の前面に配置されるシェードを貫通する捕捉孔を設けて、太陽光の一部を捕捉することにより、反射光量を低減する技術が用いられている。しかしながら、その捕捉孔は、画面に垂直な方向、つまり水平方向に一定の寸法で開口されており、太陽光の入射する角度によっては、捕捉孔の奥のシリコーン樹脂面で太陽光が反射し、画面を見る人の目に反射光が入る場合があった（特許文献３）。
【先行技術文献】
【特許文献】
【０００６】
【特許文献１】特開２００９‐２３００９６号公報
【特許文献２】特開平７-２１９４５３号公報
【特許文献３】特願２０１０−２８５８１９号
【発明の概要】
【発明が解決しようとする課題】
【０００７】
従来の画像表示装置は、表示画面への太陽光の入射、また、表示画面の表面への水滴付着により高いコントラストが得られないという問題があった。
本発明は、上記のような問題を解決するためになされたものであり、表示画面に入射した太陽光の反射光量を大幅に低減できるとともに、表示画面の表面を流れる水滴を積極的に裏面側に流すことで水滴付着を防止することが可能な画像表示装置を提供することを目的とする。
【課題を解決するための手段】
【０００８】
この発明に係わる画像表示装置は、複数の発光素子が格子状に配列された発光素子基板、上記発光素子基板の前面に配置された略平板形状のルーバーを備え、上記ルーバーは、前方に突出して外光を遮る庇部が設けられるとともに、上記発光素子の先端部を突出させる発光素子孔と外光を捕捉する捕捉孔とが開口され、上記捕捉孔は、上記ルーバーの前面から裏面にかけて所定方向に傾斜する貫通孔であることを特徴とするものである。
【発明の効果】
【０００９】
この発明の画像表示装置は、捕捉孔が、ルーバーの前面から所定方向に傾斜する貫通孔であるため、ルーバー前面側に付着する雨水が貫通孔に入った場合に、貫通孔の傾斜方向下向きに自然に雨水を流せるため、水滴による光の乱反射の影響を排除することができるとともに、貫通孔の内壁面に外光が入射した場合の、光の反射方向を、捕捉孔の傾斜によって調節することができ、画像表示装置の表示特性を向上させることができる。
【図面の簡単な説明】
【００１０】
【図１】本発明の実施の形態１の画像表示装置の正面図および断面図である。
【図２】本発明の実施の形態１の画像表示装置のルーバー捕捉孔拡大断面図である。
【図３】本発明の実施の形態２の画像表示装置の正面図である。
【図４】本発明の実施の形態２の画像表示装置のルーバー捕捉孔拡大断面図である。
【図５】本発明の実施の形態３の画像表示装置の断面図である。
【図６】本発明を説明するために必要な図である。
【図７】本発明を説明するために必要な図である。
【発明を実施するための形態】
【００１１】
実施の形態１．
本発明の実施の形態１による画像表示装置（映像表示装置）について図１〜図２、および図６、図７を用いて説明する。図１（ａ）は、本発明の実施の形態１による画像表示装置１の正面図であり、図１（ｂ）は、図１（ａ）のＡ−Ａ断面図を示している。図２は、図１（ａ）のＢ−Ｂ線に沿った拡大断面図であり、ルーバー２に開口された捕捉孔３の傾
斜方向および外光６の反射方向等を示している。図６は、本発明の画像表示装置１の捕捉孔３の効果を説明するために必要な断面図であり、捕捉孔が形成されていないルーバー２が用いられた場合の外光６の反射方向等を示している。図７は、本発明の捕捉孔３の効果を説明するために必要な断面図であり、ルーバー２に設けられる捕捉孔３０が、所定方向に傾斜するのではなく、ルーバー２の平坦面に対して垂直な方向、すなわち、画面が地面に垂直に設置される場合に、捕捉孔３０を水平方向に開口したときの外光６の反射方向等を示している。
【００１２】
図１（ａ）および図１（ｂ）に示すように、画像表示装置１は、複数の発光素子１２が格子状に配列された発光素子基板１１と、発光素子１２の部位を除いて発光素子基板１１の表面を被覆する樹脂（例えば黒色樹脂。）である防水用シリコーン４と、発光素子基板１１の前面に配置される略平板状のルーバー２と、発光素子１２の先端部を突出させるためにルーバー２に開口された発光素子孔１２ａと、ルーバー２に開口され開口形状が矩形である外光６を捕捉する捕捉孔３とを含み、さらに、平板状であるルーバー２は、例えば、その平坦部（平坦面）２ｂから突出し、発光素子１２間に前記発光素子１２列に沿って所定の方向に延びる庇部２ａを持つ。さらに、発光素子基板１１を収容するケース１０と、発光素子基板１１背面（裏面）から外部に取り出される配線により主に構成されている。
【００１３】
本発明のルーバー２に設けられた捕捉孔３は、ルーバー２の平坦部２ｂの前面（平坦面）上のギャップ領域となる発光素子１２間に、水平方向にスリット状に伸びるとともに、前面の開口寸法と同じ寸法で、前面から裏面に向かって下がるように、つまり、ルーバー２の前面から背面側にかけて、下向きに傾斜するように開口されている。
なお、捕捉孔３は、図２に示すように、ルーバー２の前面側の捕捉孔３下端部の高さが、ルーバー２の裏面側の捕捉孔３上端部の高さよりも高くなるように開口されており、ルーバー２の平面（平坦部２ｂの面部。）に垂直な方向から捕捉孔３を観察した場合に、捕捉孔３内には、捕捉孔３の内壁面のみが見え、その奥の防水用シリコーン４は見えない状態となっている。
【００１４】
図６は、従来の画像表示装置の動作を説明する要部図である（発光素子部分は省略）。外光（例えば太陽光。）６が画像表示装置１の前面に配置されているルーバー２の平坦部２ｂ表面で反射されると、画像表示装置１を見る人の目１３に、その反射光１４が入り、発光素子１２で表示される画像情報を視認し難くさせる。この反射光１４が画像表示装置１のコントラストを低下させる大きな要因である。このため、この反射光１４ができるだけ目１３に入らないように、ルーバー２には庇部２ａが設けられている。
【００１５】
図６に示すように、外光６の入射光がルーバー２の庇部２ａの高さ（平坦部２ｂ表面からの突出量。）とピッチで決まる入射角α°以下で入った場合には、ルーバー２の平坦部２ｂの表面で反射された反射光１４が画像表示装置１を見る人の目１３に入る。逆に、外光６の入射光が入射角α°以上で入った場合には、その反射光がルーバー２の庇部２ａによって遮られ、画像表示装置１を見る人の目１３には入らず、コントラストの低下は生じない（外光の入射方向および反射方向は図示せず。）。
しかし、従って、画像表示装置１を見る人の位置と太陽高度にもよるが、一般的に太陽高度が高い場合には庇部２ａが有効であるが、太陽高度が低い場合には充分な効果が期待できない。庇部２ａを高く（突出量を大きく）すれば発光素子（表示せず）から発せられる光も遮られ、垂直方向の視野角が狭くなるので、庇部２ａの高さをあまり高くしすぎることはできない。  
【００１６】
本発明の画像表示装置１では、図１および図２で示したように、ルーバー２に、外光６を捕捉する傾斜した捕捉孔３を設けているため、α°以下でルーバー２の表面に外光６が入射した場合でも、図２の光路に示したように、捕捉孔３の内壁に反射した後、ルーバー２の背面側に入るため、外光６を効率良く捕捉できる。
【００１７】
次に、実施の形態１による画像表示装置の動作、効果について説明する。
外光６の入射光が入射角α°以下でルーバー２の平坦部２ｂの表面で反射された反射光１４が画像表示装置１を見る人の目１３に入らないように、ルーバー２に、所定方向に傾斜する貫通孔である捕捉孔３を開けることにより、外光６をルーバー２の裏面側の隙間（ルーバー２と防水用シリコーン４との隙間。）５に取り込み、暗輝度を落とす。
【００１８】
ただし、図７のように、ルーバー２の平坦部２ｂに、単純に、平坦面に垂直な捕捉孔３０（画面が地面に対して略垂直方向に設置される場合に、捕捉孔３０はルーバー２の厚みの方向、つまり水平方向に開口されたものとする。）を設けるだけでは、Ｂの場所から見る人間にとっては、外光６をルーバー２の平坦部２ｂで直接反射させず、ルーバー２内部の隙間５で複数回光を反射し、防水用シリコーン４やルーバー２の裏面に光を吸収させることで下部に位置する別の捕捉孔３０から出る反射光量を落とし、ルーバー２の平坦部２ｂから発せられる輝度よりも落とすことができる。しかし、Ａの場所から見る人間にとっては防水用シリコーン４で反射した反射光１４を直接的に受けることになる。
【００１９】
なお、図７の断面図では、上下に配置される二つの捕捉孔３０の距離が近い例として、ルーバー２の上下二つの庇部２ａに挟まれた平坦部２ｂ内に、上下２カ所の捕捉孔３０が設けられた場合を例示しているが、例えば、図１（ａ）に示す捕捉孔３の配置のように、上下二つの庇部２ａ間、かつ横並びの発光素子１２の中間に、水平方向に伸びる一つの捕捉孔３０が形成された場合でも同様で、仮に、その捕捉孔の開口方向が水平であるとするならば、その捕捉孔から、奥の防水用シリコーン４が見える状態となり、その防水用シリコーン４で反射した反射光１４が人の目１３に入り、表示性能を低下させることが想定される。
【００２０】
そこで、この実施の形態１では、図２（図１のＢ−Ｂ線に沿った拡大断面図）のような捕捉孔３を提案する。ルーバー２の庇部２ａの影となり、人の目（またはカメラなどの撮像部。）１３から見て、最も表示装置の奥まで視線が届く場合が、図２の人の目１３の位置で、画面を見上げる場合であるが、捕捉孔３の内壁が見えるだけで、他のどの角度から見ても防水用シリコーン４を見ることができない。つまり図７の場合と異なり、図２の場合であれば、ルーバー２の裏面に入射した外光６を反射した光はどの角度においても画面を見る人の目１３に直接的に入ることはない。また、捕捉孔３はルーバー２の前面から裏面にかけて下に向きに傾斜するよう開口されているため、太陽が画像表示装置１よりも上にあると想定した場合、外光６は捕捉孔３に入り易く反射光１４は捕捉孔３から出難い孔構造となっている。この捕捉孔３の傾き角度は庇部２ａの長さと捕捉孔３の位置と縦幅、平板状であるルーバー２の厚みにより決まる。また、この捕捉孔３は、例えば、ルーバー２の裏面側よりスライド金型にて製作可能である。
【００２１】
図２に示すような、ルーバー２の庇部２ａは、画面上にて水平方向に一直線状に形成される例を示しているが、この形状に限定されるものではなく、同様の遮光機能を持つ別の形状とすることも可能である。また、図１（ａ）に示すように、この実施の形態１では、ルーバー２に横方向に所定間隔で発光素子１２ａが開口され、二つの発光素子孔１２ａのほぼ中央部かつ上下の庇部２ａの中間位置（ギャップ領域のほぼ中央部。）に一つの捕捉孔３を配置した例を示している。ルーバー２の平坦部２ｂ上で比較的広い面部となるギャップ領域の中央または中央から下寄りの位置に捕捉孔３を開口することで、庇部２ａによる遮光効果が小さくなる領域（太陽光が外光６である場合、庇部２ａの直下は、常に庇部２ａの影となるため遮光効果が大きい。）の表示性能を向上させることができる。
なお、捕捉孔３の配置および個数はこれに限定されるものではなく、例えば、発光素子１２の上下に位置する平坦部２ｂにも配置することができる。
また、この捕捉孔構造にする事により、積極的に雨水をルーバー２裏面側に流す事ができ、且つルーバー２裏面から雨水が逆流するのを防ぐことができるため、発光素子１２に対しての水滴の付着を防ぐことができる。
【００２２】
実施の形態２．
上述の実施の形態１では、図１および図２に示したように、画像表示装置１を縦方向に見た場合に、ルーバー２の上下の庇部２ａに挟まれた平坦部２ｂには、横並びの発光素子１２間に、一つずつ捕捉孔３が設けられ、その捕捉孔３の傾斜は、前面から裏面にかけて下向きに傾斜する例を示した。この実施の形態２では、図３および図４に示すように、上下の庇部２ａ間に挟まれた平坦部２ｂには、上下に二つの捕捉孔３ａ、３ｂが設けられ、捕捉孔３ａ、３ｂの傾きが、ルーバー２の裏面側における捕捉孔３ａ、３ｂ上端の高さが、ルーバー２の前面側における捕捉孔３ａ、３ｂ下端の高さとなるように開口される場合について例示する。
【００２３】
実施の形態２による画像表示装置の動作、効果について説明する。図３は、実施の形態２のルーバー２が取り付けられた画像表示装置１の正面図であり、図４は、図３のＢ−Ｂ線に沿った拡大断面図である。なお、図３のＡ−Ａ線に沿った断面図は、図１（ｂ）と同様である。
図４に示すように、捕捉孔３ａ、３ｂは、ルーバー２の平坦部２ｂの表側の孔下端と裏側の孔上部が同じ高さとなるように貫通孔が傾けられている。外光６の入射光が入射角α°以下でルーバー２の平坦部２ｂの表面で反射された反射光１４が上向きに画像表示装置１を視る人の目１３に入らないように、ルーバー２に図４の捕捉孔３ａ、３ｂを開けることにより、外光６をルーバー２の内部（隙間５）に取り込み、暗輝度を落とす。
【００２４】
このとき、図４に示すように、ルーバー２の平坦部２ｂの表側の孔下端部と裏側の孔上端部とが同じ高さとなっているため、上向きに画像表示装置１を見上げる人の目１３から見て、捕捉孔３ａ、３ｂの開口部分を、どの角度から見上げても、奥の防水用シリコーン４を見ることが出来ない。ルーバー２裏面に入射した外光６を反射した反射光１４は、人の目１３が上向きであれば、どの角度においても直接的に目に入ることはない。また、捕捉孔３ａ、３ｂは実施の形態１と同様に、ルーバー２表面から見て下に向けられているため、外光６は捕捉孔３ａ、３ｂに入り易く反射光１４は捕捉孔３ａ、３ｂより出難いという孔の構造となっている。
【００２５】
この実施の形態２の捕捉孔３は、ルーバー２の裏面側における捕捉孔３ａ（３ｂ）上端の高さが、ルーバー２の前面側における捕捉孔３ａ（３ｂ）下端の高さとなるように孔の傾斜角度を調整し、開口するという条件を満たせば、開口寸法や位置は自由である。傾斜角度は、ルーバー２の厚さと、高さ方向の開口寸法によって決まる。また、画面を上下方向に見て、上の庇部２ａとその直下の庇部２ａの間隔が広ければ、捕捉孔３ａ、３ｂを何個でも配置することが可能となる。また、先述の図１のように、上下の庇部２ａ間に一つの捕捉孔３を配置する場合にも捕捉孔３ａまたは３ｂのように、傾斜角度を限定して設けることができる。
なお、この捕捉孔３ａ、３ｂは実施の形態１と同様にルーバー２裏面側よりスライド金型にて製作可能である。
【００２６】
また、この実施の形態２の捕捉孔構造とすることにより、積極的に雨水をルーバー２裏面に流す事ができ、且つルーバー２裏面から雨水が逆流するのを防ぐことができ、且つ、ルーバー２の平坦部２ｂ上に、捕捉孔３ａ、３ｂを設ける位置や個数の制限は無く、従来と異なり、発光素子１２下部に位置する発光素子孔１２ａ以外にも捕捉孔３を設けることが可能であるため、発光素子１２に対しての水滴の付着を防止することが可能となる。人が見上げる位置で設置する画像表示装置１の適用例（例えば、スタジアムで、客席よりも高い位置に画面を設置する場合など。）も多いので、表示性能の向上という点で有効である。
また、捕捉孔３ａ、３ｂの角度が急であれば、部分的にルーバー２の厚みが小さくなり、強度等の問題が生じる場合も考えられるが、この実施の形態２のように、孔の傾斜角度を限定すれば、ルーバー２が部分的に薄くなることを回避でき、一定のル強度が得られ、メンテナンス性が良いという効果も得られる。
【００２７】
ここで、図４に断面図を例示した状態は、人の目１３またはカメラが、画面を見上げる場合のどの角度からでも、奥の防水用シリコーン４が見えない状態を得られるよう、捕捉孔３ａ、３ｂの前面側下端と捕捉孔３ａ、３ｂの裏面側の上端の高さを揃えるものであった。しかしながら、画面の見上げ角度が比較的大きくなることが想定される接置条件下では、捕捉孔３ａ、３ｂの前面側下端より捕捉孔３ａ、３ｂの裏面側上端が高くても、ルーバー２の捕捉孔３ａ、３ｂの傾斜を、ルーバー２前面から裏面にかけて下向きとなるようにすれば、表示性能を向上させる効果は得ることができる。
【００２８】
また、画像表示装置１の画面を見下げることが想定される設置条件下では、捕捉孔の傾斜角度を上記の場合と逆に、ルーバー２の前面から裏面に向かって捕捉孔を上向きに傾斜するように形成することで、視線が捕捉孔の奥まで届きにくくなり、捕捉孔奥の防水用シリコーン４で反射した反射光１４が人の目１３に入りにくい状態が得られ、また、斜め上から降り注ぐ太陽光である外光６を、その捕捉孔内で何度も反射させつつ奥へ導き減衰させることで、表示特性を向上させることも可能であり、上述の実施の形態１の場合でも、同様のことが言える。ただし、外光６を、直接、人の目１３の方向へ反射させない傾斜角度となるように、捕捉孔の角度を調整することが必要であることは言うまでもない。
【００２９】
さらに、一つの画像表示装置１に対し、ルーバー２の捕捉孔を全て一様な傾斜角度に形成する以外に、傾斜角度の異なる捕捉孔を組み合わせて用いることも可能である。
なお、水平に開口された捕捉孔であると、その開口部内に雨水が溜まって光の乱反射が生じるということが懸念されるが、捕捉孔が、裏面側より前面側の方が低くなるように開口される場合、雨水は捕捉孔に溜まることなく前面へ流れるが、捕捉孔の奥側へ自然に雨水を流すことはできないものの、上記のような雨水溜まりによる悪影響は排除することができる。
【００３０】
実施の形態３．
次に、実施の形態３による画像表示装置１について図５を用いて説明する。図５は、実施の形態３による画像表示装置１の拡大断面図である。上述の実施の形態１及び２では、ルーバー２の平坦部２ｂの前面は平坦面である例を示していた。この実施の形態３では、図５に示すように、ルーバー２の平坦部２ｂｂは、その表面が、微細な突起が連続して設けられた凹凸面構造（凹凸部）となっており、その凹凸部は、例えば、傾きの異なる平面が組み合わされてなる突起状に形成されている。その突起は、例えば、横方向に一直線に伸びるものである。
【００３１】
図５に示すように、ルーバー２の平坦部２ｂｂ表面の突起部を側面より見た場合に、三角の形状に突出するよう形成し、突起形成平面の勾配は、その微細な三角の突起の表面に外光６が入射し、反射した場合に、その反射光１４が全て庇部２ａの天面若しくは下面に照射されるような角度に設定する。ここで、庇部２ａの天面とは、水平方向に突出した庇部２ａの、上側の面で、太陽光である外光６が直接照射される面であり、その裏側の下面が裏面である。これによりルーバー２の平坦部２ｂｂからの光の反射は大幅に軽減することが可能である。庇部２ａの天面と裏面からの反射が増えるが、発光素子１２の視認角度外となるため影響は無いと考えられる。
なお、平坦部２ｂｂ表面の全面を凹凸部とした場合は、凹凸部に入射する外光６を、もれなく視認に影響のない方向に反射させることが可能となり、部分的に凹凸部を取り入れる場合と比較して、画像表示装置１の表示性能をより向上させることができる。
【００３２】
上記の説明にて、ルーバー２の平坦部２ｂｂの凹凸部が、傾きの異なる平面が組み合わされて形成された突起状のものである場合について述べたが、それは、凹凸の表面が平面である場合には、その表面に入射した光がどの方向に反射するかを想定しやすく、傾斜角度の調整が容易となるためである。しかしながら、画面を見る人の目１３に反射光１４が入らなければ、凹凸部の表面を平面だけに限定せず、曲面を用いた構成とすることも可能である。
なお、本発明は、その発明の範囲内において、各実施の形態を自由に組み合わること、各実施の形態を適宜、変形、省略することが可能であることは言うまでもない。
【符号の説明】
【００３３】
１  画像表示装置
２  ルーバー
２ａ  庇部
２ｂ、２ｂｂ  平坦部
３、３ａ、３ｂ、３０  捕捉孔
４  防水用シリコーン
５  隙間
６  外光（太陽光）
１０  ケース
１１  発光素子基板
１２  発光素子
１２ａ  発光素子孔
１３  人の目（カメラの撮像部）
１４  反射光。
【図１】
2014002228.tif 000003
【図２】
2014002228.tif 000004
【図３】
2014002228.tif 000005
【図４】
2014002228.tif 000006
【図５】
2014002228.tif 000007
【図６】
2014002228.tif 000008
【図７】
2014002228.tif 000009